(57)【特許請求の範囲】
【請求項１】
折りたたみ式の筐体に分割して配置された複数の表示部と、
上記複数の表示部の間の開き角度を検知する検知手段と、
表示部とユーザの視線とがなす角度である視線角度毎の前記複数の表示部のそれぞれのガンマ補正値を記憶するガンマ記憶手段と、
無タッチ時の各開き角度毎の前記複数の表示部それぞれの想定の視線角度を記憶する視線角度記憶手段と、
上記検知手段で検知した上記複数の表示部の間の開き角度に対応する上記複数の表示部のそれぞれの視線角度を上記視線角度記憶手段から読み出して、当該それぞれの視線角度に対応するそれぞれのガンマ補正値を上記ガンマ記憶手段から読み出して上記複数の表示部のガンマ補正を行なう表示制御手段と、
を具備し、
上記複数の表示部の少なくとも１つは、表示画面へのタッチ入力を受付けるタッチパネルを備え、
上記タッチパネルを備えた表示部へのタッチ入力があった際に、タッチされた表示部とユーザの視線とがなす前記想定の視線角度を直角に補正する角度補正手段を具備したことを特徴とする情報表示装置。
【請求項２】
上記タッチパネルを備えた表示部へのタッチ入力があった際に、タッチされた表示部とは異なる表示部の前記想定の視線角度を補正する第２角度補正手段を具備したことを特徴とする請求項１に記載の情報表示装置。
【請求項３】
折りたたみ式の筐体に分割して配置された複数の表示部を備え、上記複数の表示部の少なくとも１つは、表示画面へのタッチ入力を受付けるタッチパネルを備えた装置が内蔵するコンピュータが実行するプログラムであって、当該コンピュータを、
上記複数の表示部の間の開き角度を検知する検知手段、
表示部とユーザの視線とがなす角度である視線角度毎の前記複数の表示部のそれぞれのガンマ補正値を記憶するガンマ記憶手段、
無タッチ時の各開き角度毎の前記複数の表示部それぞれの想定の視線角度を記憶する視線角度記憶手段、
上記検知手段で検知した上記複数の表示部の間の開き角度に対応する上記複数の表示部のそれぞれの視線角度を上記視線角度記憶手段から読み出して、当該それぞれの視線角度に対応するそれぞれのガンマ補正値を上記ガンマ記憶手段から読み出して上記複数の表示部のガンマ補正を行なう表示制御手段、及び
上記タッチパネルを備えた表示部へのタッチ入力があった際に、タッチされた表示部とユーザの視線とがなす前記想定の視線角度を直角に補正する角度補正手段、
として機能させることを特徴とするプログラム。
【発明の詳細な説明】
【技術分野】
【０００１】
本発明は、折りたたみ式の電子手帳や電子ブック装置等に好適な情報表示装置及びプログラムに関する。
【背景技術】
【０００２】
１つの表示パネルに対して、傾斜角を検知することで液晶の視野角を調整し、表示品位を向上させるようにした技術が考えられている。（例えば、特許文献１）
【先行技術文献】
【特許文献】
【０００３】
【特許文献１】特開２０１０−０４４１７９号公報
【発明の概要】
【発明が解決しようとする課題】
【０００４】
上記特許文献に記載された技術は、１つの表示パネルに対してのみ有効となる。これに対して近時の電子辞書装置や携帯電話端末、携帯ゲーム機等の装置では、折りたたみ式で２つの表示パネルを併用するようにした機種も多く存在している。それら２つの表示パネルを有する装置では、ユーザからそれぞれの表示パネルに対する視線の角度が異なる。そのため、一方の表示パネルを適正に調整したとしても、他方の表示パネルではユーザの視線角度が異なることで適正な調整とはならずに表示品位が低下するなど、上記特許文献に記載された技術が適用できない。
【０００５】
本発明は上記のような実情に鑑みてなされたもので、その目的とするところは、複数の表示パネルを有する装置で、それぞれの表示パネルでどの角度から見た時にでも最適な視野を確保することが可能な情報表示装置及びプログラムを提供することにある。
【課題を解決するための手段】
【０００６】
本発明の一態様は、折りたたみ式の筐体に分割して配置された複数の表示部と、上記複数の表示部の間の開き角度を検知する検知手段と、表示部とユーザの視線とがなす角度である視線角度毎の前記複数の表示部のそれぞれのガンマ補正値を記憶するガンマ記憶手段と、無タッチ時の各開き角度毎の前記複数の表示部それぞれの想定の視線角度を記憶する視線角度記憶手段と上記検知手段で検知した上記複数の表示部の間の開き角度に対応する上記複数の表示部のそれぞれの視線角度を上記視線角度記憶手段から読み出して、当該それぞれの視線角度に対応するそれぞれのガンマ補正値を上記ガンマ記憶手段から読み出して上記複数の表示部のガンマ補正を行なう表示制御手段と、を具備し、上記複数の表示部の少なくとも１つは、表示画面へのタッチ入力を受付けるタッチパネルを備え、上記タッチパネルを備えた表示部へのタッチ入力があった際に、タッチされた表示部とユーザの視線とがなす前記想定の視線角度を直角に補正する角度補正手段を具備したことを特徴とする。
【発明の効果】
【０００７】
本発明によれば、複数の表示パネルを有する装置で、それぞれの表示パネルでどの角度から見た時にでも最適な視野を確保することが可能となる。
【図面の簡単な説明】
【０００８】
【図１】本発明の第１の実施形態に係る電子辞書装置の外観構成を示す正面図。
【図２】同実施形態に係る電子回路の機能構成を示すブロック図。
【図３】同実施形態に係る電子回路の他の機能構成を示すブロック図。
【図４】同実施形態に係る電子辞書装置を持って使用する場合の基本的な２形態を示す図。
【図５】同実施形態に係るメインとサブ両画面の角度に応じた表示補正処理の内容を示すフローチャート。
【図６】同実施形態に係るプログラムメモリに記憶されるガンマ補正値テーブルの内容を例示する図。
【図７】同実施形態に係る電子辞書装置載置使用時のユーザの目と各画面との位置関係を示す図。
【図８】同実施形態に係る電子辞書装置縦持ち使用時のユーザの目と各画面との位置関係を示す図。
【図９】同実施形態に係る電子辞書装置横持ち使用時のユーザの目と各画面との位置関係を示す図。
【図１０】本発明の第２の実施形態に係るメインとサブ両画面の角度に応じた表示補正処理の内容を示すフローチャート。
【図１１】同実施形態に係るプログラムメモリに記憶されるガンマ補正値テーブルの内容を例示する図。
【図１２】同実施形態に係る電子辞書装置縦持ち使用時のユーザの目と各画面の位置関係とを示す図。
【図１３】同実施形態に係る電子辞書装置縦持ち使用時のユーザの目と各画面との位置関係を示す図。
【図１４】同実施形態に係る電子辞書装置横持ち使用時のユーザの目と各画面との位置関係を示す図。
【図１５】同実施形態に係る電子辞書装置横持ち使用時のユーザの目と各画面との位置関係を示す図。
【発明を実施するための形態】
【０００９】
（第１の実施形態）  
以下本発明を電子辞書装置に適用した場合の第１の実施形態について図面を参照して説明する。  
図１は、同実施形態に係る電子辞書装置１０の外観構成を示す正面図である。
【００１０】
この電子辞書装置１０は、以下に説明する電子辞書専用の携帯機器として構成するか、あるいは辞書機能を備えたＰＤＡ（Ｐｅｒｓｏｎａｌ  Ｄｉｇｉｔａｌ  Ａｓｓｉｓｔａｎｔｓ：個人向け情報携帯端末）、パーソナルコンピュータ、携帯電話端末、電子ブック、携帯ゲーム機等として構成する。
【００１１】
この電子辞書装置１０は、その本体ケース１１と蓋体ケース１２とがヒンジ部１３を介して展開／閉塞可能な折り畳み型ケースを備えて構成される。図１は展開した状態を示す。この折り畳み型ケースを展開した本体ケース１１の表面には、文字入力キー、辞書指定キーその他、［訳／決定］キー、［戻る／リスト］キー、カーソル（↑，↓，←，→）キー、［ジャンプ］キー、スピーカ１５などを備えたキー入力部（キーボード）１４、および手書き入力部（サブ画面）１６が備えられる。
【００１２】
この手書き入力部（サブ画面）１６は、ユーザがスタイラスペンや手指等でタッチした位置を検出するタッチ位置検出部と表示部が一体となった構造であり、キー入力部１４の中央手前側において例えば２５６×６４ドットのカラー液晶表示画面１６ｄに透明タッチパネル１６ｔを重ねて構成される。
【００１３】
この手書き入力部（サブ画面）１６の領域は、必要に応じて、手書き文字を入力するための手書き文字（漢字）入力領域や各種機能のアイコン入力領域など、当該各領域を必要に応じて切り替える。
【００１４】
そして、上記手書き入力部（サブ画面）１６が手書き文字入力領域に切り替えられた状態での手書き入力に伴う軌跡はそのカラー液晶表示画面１６ｄにエコーバックして表示される。
【００１５】
一方、蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、上記手書き入力部（サブ画面）１６と同様に、ユーザがスタイラスペンや手指等でタッチした位置を検出するタッチ位置検出装置と表示装置が一体となった構造であり、カラー液晶表示画面１７ｄに透明タッチパネル１７ｔを重ねて構成される。
【００１６】
図２は、上記電子辞書装置１０の本体ケース１１及び蓋体ケース１２内に備えられる電子回路の構成を示すブロック図である。
【００１７】
この電子辞書装置１０は、各種の記憶媒体に記録されたプログラム、または伝送されたプログラムを読出して、その読出したプログラムによって動作が制御コンピュータによって構成され、その電子回路にはＣＰＵ２１が備えられる。
【００１８】
ＣＰＵ２１は、システムバスＳＢを介してプログラムメモリ（フラッシュメモリ）２２と接続される。ＣＰＵ２１は、プログラムメモリ２２内に予め記憶された装置制御プログラム、あるいはメモリカード２３からメモリカードコントローラ２４を介して上記プログラムメモリ２２に記憶した装置制御プログラム、あるいはインターネットＮ上のＷｅｂサーバ（この場合はプログラムサーバ）３０から通信制御部２５を介して上記プログラムメモリ２２に記憶した装置制御プログラムに応じて、ＳＲＡＭで構成されるワークメモリ２６をメインメモリとして回路各部の動作を制御する。
【００１９】
上記プログラムメモリ２２に記憶された装置制御用のプログラムは、上記キー入力部１４からのユーザ操作に応じた入力信号、あるいは通信制御部２５を介して接続されたインターネットＮ上の各Ｗｅｂサーバ３０…との通信信号、あるいはメモリカードコントローラ２４を介して接続されたメモリカード２３との接続通信信号に応じて起動される。
【００２０】
上記ＣＰＵ２１には、システムバスＳＢを介して上記プログラムメモリ２２、メモリカードコントローラ２４、通信制御部２５、ワークメモリ２６、及びキー入力部１４が接続される他に、上記カラー液晶表示画面１６ｄ、透明タッチパネル１６ｔ、カラー液晶表示画面１７ｄ、透明タッチパネル１７ｔ、３軸加速度センサ２７、３軸加速度センサ２８、及び音声合成部２９が接続される。
【００２１】
上記プログラムメモリ２２が記憶する装置制御プログラムとしては、辞書データベース２２Ａ、ガンマ補正テーブル記憶部２２Ｂ、及び各種処理プログラム２２Ｃがある。
【００２２】
辞書データベース２２Ａは、複数種類の辞書コンテンツと、各辞書コンテンツの名称を上記タッチパネル式カラー表示部１７で表示するための辞書名情報とを有する。
【００２３】
ガンマ補正テーブル記憶部２２Ｂは、後述するように本体ケース１１と蓋体ケース１２双方の姿勢角度に応じて本体ケース１１のカラー液晶表示画面１６ｄと蓋体ケース１２のカラー液晶表示画面１７ｄで表示を行なう場合のガンマ補正値を記憶している。
【００２４】
各種処理プログラム２２Ｃは、本体ケース１１の姿勢角度と蓋体ケース１２の姿勢角度によりカラー液晶表示画面１６ｄとカラー液晶表示画面１７ｄで表示する画像のガンマ補正補を行なう画面補正処理プログラムを含み、この電子辞書装置１０内での動作全般を制御するためのプログラムからなる。
【００２５】
３軸加速度センサ２７は、蓋体ケース１２側に設けられ、互いに直交する３軸方向それぞれの加速度を検知して上記ＣＰＵ２１へ出力する。この３軸加速度センサ２７の出力によりＣＰＵ２１は、重力加速度の方向から蓋体ケース１２の姿勢を認識可能となる。
【００２６】
同様に３軸加速度センサ２８は、本体ケース１１側に設けられ、互いに直交する３軸方向それぞれの加速度を検知して上記ＣＰＵ２１へ出力する。この３軸加速度センサ２８の出力によりＣＰＵ２１は、重力加速度の方向から本体ケース１１の姿勢を認識可能となる。
【００２７】
しかしてＣＰＵ２１は、上記本体ケース１１と蓋体ケース１２双方の姿勢角度により、この電子辞書装置１０が現時点でどのようにユーザによって使用されているのかを把握できる。
【００２８】
音声合成部２９は、システムバスＳＢを介して与えられテクスト情報に基づいてアナログの音声信号を生成し、生成した音声信号により上記スピーカ１５を駆動して拡声出力させる。
【００２９】
なお上記図２では、本体ケース１１側に３軸加速度センサ２８が、蓋体ケース１２側に３軸加速度センサ２７がそれぞれ設けられるものとして、それらの検知出力によりＣＰＵ２１が上記本体ケース１１と蓋体ケース１２双方の姿勢角度からこの電子辞書装置１０がどのように使用されているのかを把握するものとして説明した。
【００３０】
それとは別の構成として、ケースの一方の姿勢角度とヒンジ部１３での角度とを検知することで、他方のケースの姿勢角度を推定することもでき、結果として電子辞書装置１０がどのように使用されているのかを把握できる。
【００３１】
図３は、上記電子辞書装置１０の本体ケース１１及び蓋体ケース１２内に備えられる電子回路の他の構成を示すブロック図である。ここでは、上記図２の３軸加速度センサ２７に代えて、ヒンジ部１３での展開角度を検知する角度センサ４１を設けている。
【００３２】
角度センサ４１は、ひずみゲージ式、磁気式、あるいは光学式のセンサにより構成されるもので、ヒンジ部１３での展開角度を検出し、検出結果をＣＰＵ２１へ出力する。
【００３３】
図２の３軸加速度センサ２７に代えて角度センサ４１を設けた以外、図３の構成は基本的に上記図２の構成と同様であるため、同一部分には同一符号を付してそれらの説明は省略する。
【００３４】
次に上記実施形態の動作について説明する。  
なお本実施形態では、電子辞書装置１０を机上等に置いて使用する他に、図４（Ａ）に示す如く本体ケース１１と蓋体ケース１２とを大きく開いて縦長の状態で使用する、以後文中で「縦持ち」と呼称する持ち方と、図４（Ｂ）に示す如く本体ケース１１と蓋体ケース１２とを大きく開いて横長の状態で使用する、以後文中で「横持ち」と呼称する持ち方とを基本的な使用形態とする。
【００３５】
ここではいずれも左手ＬＨと右手ＲＨの双方を用いて電子辞書装置１０を保持している状態について例示しているが、特にその持ち方等は特に限定しないものとする。
【００３６】
図４（Ａ）に示す縦持ちでは、本体ケース１１、及び蓋体ケース１２共に平板状のケーシング面に沿った横方向がＸ軸方向、縦方向がＹ軸方向、ケーシング面と直交する方向がＺ軸方向として各３軸加速度センサ２８，２７の検知出力から姿勢角度を認識できる。
【００３７】
また図４（Ｂ）に示す横持ちでは、本体ケース１１、及び蓋体ケース１２共に平板状のケーシング面に沿った横方向がＹ軸方向、縦方向がＸ軸方向、ケーシング面と直交する方向がＺ軸方向として各３軸加速度センサ２８，２７の検知出力から姿勢角度を認識できる。
【００３８】
以下、電子辞書装置１０を机上等に置いて使用する場合、上記図４（Ａ）で示した縦持ちの場合、及び上記図４（Ｂ）で示した横持ちの場合についてその動作を説明する。
【００３９】
図５は、上記電子辞書装置１０においてＣＰＵ２１が制御を司る、メイン画面のカラー液晶表示画面１７ｄとサブ画面のカラー液晶表示画面１６ｄの表示制御に関する処理を示すフローチャートである。  
その当所には、まず手書き入力部（サブ画面）１６がある本体ケース１１側に設けられた３軸加速度センサ２８のＺ軸方向の検知出力がほとんど重力加速度成分に等しく、その変位角度が略“０（ゼロ）°”であるか否かにより、電子辞書装置１０の本体ケース１１が机上等の水平な場所に設置されているか否かをＣＰＵ２１が判断する（ステップＳ１０１）。
【００４０】
ここで３軸加速度センサ２８のＺ軸方向の検知出力がほとんど重力加速度成分に等しく、電子辞書装置１０の本体ケース１１が水平な場所に設置されていると判断した場合にＣＰＵ２１は、次いでタッチパネル式カラー表示部（メイン画面）１７がある蓋体ケース１２側に設けられた３軸加速度センサ２７のＹ軸及びＺ軸の方向の検知出力により、タッチパネル式カラー表示部（メイン画面）１７の手書き入力部（サブ画面）１６に対する角度θを検出する（ステップＳ１０２）。
【００４１】
そして、検出した角度θによりタッチパネル式カラー表示部（メイン画面）１７の角度θ′を演算「１８０°−θ」により算出し、算出した手書き入力部（サブ画面）１６の角度θ′からタッチパネル式カラー表示部（メイン画面）１７、及び手書き入力部（サブ画面）１６のガンマ補正値をガンマ補正テーブル記憶部２２Ｂより読出す（ステップＳ１０３）。
【００４２】
図６（Ａ）は、プログラムメモリ２２のガンマ補正テーブル記憶部２２Ｂに記憶される、電子辞書装置１０を置いて使用する場合のメイン画面及びサブ画面のガンマ補正値テーブルを例示するものである。図示する如くメイン画面の表示角度θ′が０°である場合から９０°である場合まで、１°単位でメイン画面とサブ画面の各ガンマ補正値α，α′を記憶している。
【００４３】
こうして読出したガンマ補正値α，α′に基づき、ＣＰＵ２１はカラー液晶表示画面１７ｄとカラー液晶表示画面１６ｄでの表示駆動におけるガンマ補正を実行させた上で（ステップＳ１０４）、再び上記ステップＳ１０１からの処理に戻る。
【００４４】
図７（Ａ），（Ｂ）は、電子辞書装置１０を置いて使用する場合のユーザの目ＵＥとの位置関係を横から見た際の例を示す図である。  
図７（Ａ）は、メイン画面のある蓋体ケース１２側を若干立てた状態を示す。本体ケース１１に対する蓋体ケース１２の開き角θが約１３５°程度であり、メイン画面の表示角度θ′は約４５°程度となっている。ここでは、例えば予めユーザの目ＵＥの位置が本体ケース１１の手前側２０［ｃｍ］、上方４０［ｃｍ］にあるものと仮定する。
【００４５】
ユーザの目ＵＥからメイン画面１７ｄを見た場合に、その視線がメイン画面１７ｄと作る内角をθｍとすると、メイン画面１７ｄで必要な下方の視野角は「９０°−θｍ」となる。
【００４６】
また、ユーザの目ＵＥからサブ画面１６ｄを見た場合に、その視線がメイン画面１７ｄと作る内角をθｓとすると、メイン画面１７ｄで必要な下方の視野角は「θｓ−９０°」となる。
【００４７】
ＣＰＵ２１は、上記想定されるメイン画面、サブ画面の各視野角に応じて予め記憶されているガンマ補正テーブル記憶部２２Ｂからガンマ補正値α，α′を読出し、読出したガンマ補正値α，α′に基づいてメイン画面１７ｄとサブ画面１６ｄでの表示駆動におけるガンマ補正を実行させることで、ユーザが確実に視野角内となるように両画面を調整する。
【００４８】
図７（Ｂ）は、メイン画面のある蓋体ケース１２側をサブ画面のある本体ケース１１側とと同様に寝かせた状態を示す。本体ケース１１に対する蓋体ケース１２の開き角θは１８０°であり、メイン画面の表示角度θ′は０°となる。
【００４９】
ＣＰＵ２１は、ガンマ補正テーブル記憶部２２Ｂからガンマ補正値α，α′を読出し、読出したガンマ補正値α，α′に基づいてメイン画面１７ｄとサブ画面１６ｄでの表示駆動におけるガンマ補正を実行させることで、ユーザが確実に視野角内となるように両画面を調整する。
【００５０】
また、上記図５のステップＳ１０１で３軸加速度センサ２８のＺ軸方向の検知出力が重力加速度成分とは異なり、電子辞書装置１０の本体ケース１１が水平ではないと判断した場合にＣＰＵ２１は、電子辞書装置１０がユーザにより縦持ちあるいは横持ちの状態にあるものと判断し、メイン画面１７ｄのある蓋体ケース１２側の３軸加速度センサ２７のＸ軸方向の検知出力がほとんど重力加速度成分に等しく、その変位角度が略“０（ゼロ）°”であるか否かにより、電子辞書装置１０の本体ケース１１が上記図４（Ｂ）に示した横持ちでの使用状態にあるか否かをＣＰＵ２１が判断する（ステップＳ１０５）。
【００５１】
ここで３軸加速度センサ２７のＸ軸方向の検知出力が重力加速度成分とは異なり、その変位角度が略“９０°”に等しいと判断した場合に、ＣＰＵ２１は電子辞書装置１０が横持ちではなく上記図４（Ａ）で示した縦持ちの状態にあるものと判断し、次いでタッチパネル式カラー表示部（メイン画面）１７がある蓋体ケース１２側に設けられた３軸加速度センサ２７のＹ軸及びＺ軸の方向の検知出力により、タッチパネル式カラー表示部（メイン画面）１７の傾き状態を算出する（ステップＳ１０６）。
【００５２】
次いで、手書き入力部（サブ画面）１６がある本体ケース１１側に設けられた３軸加速度センサ２８のＹ軸及びＺ軸の方向の検知出力により、手書き入力部（サブ画面）１６の傾き状態を算出する（ステップＳ１０７）。
【００５３】
上記ステップＳ１０６，Ｓ１０７の処理で算出したタッチパネル式カラー表示部（メイン画面）１７及び手書き入力部（サブ画面）１６の各傾きに基づき、ＣＰＵ２１はそれらの位置関係から本体ケース１１に対する蓋体ケース１２の開き角度θを算出する（ステップＳ１０８）。
【００５４】
そして、算出した角度θによりタッチパネル式カラー表示部（メイン画面）１７及び手書き入力部（サブ画面）１６のガンマ補正値をガンマ補正テーブル記憶部２２Ｂより読出す（ステップＳ１０９）。
【００５５】
図６（Ｂ）は、プログラムメモリ２２のガンマ補正テーブル記憶部２２Ｂに記憶される、電子辞書装置１０を縦持ちで使用する場合のメイン画面及びサブ画面のガンマ補正値テーブルを例示するものである。図示する如くメイン画面とサブ画面の２つの表示画面間の角度θ′が９０°である場合から１８０°である場合まで、１°単位でメイン画面とサブ画面の各ガンマ補正値β，β′を記憶している。
【００５６】
こうして読出したガンマ補正値β，β′に基づき、ＣＰＵ２１はカラー液晶表示画面１７ｄとカラー液晶表示画面１６ｄでの表示駆動におけるガンマ補正を実行させた上で（ステップＳ１０４）、再び上記ステップＳ１０１からの処理に戻る。
【００５７】
図８（Ａ），（Ｂ）は、電子辞書装置１０を縦持ちで使用する場合のユーザの目ＵＥとの位置関係を横から見た際の例を示す図である。  
図８（Ａ）は、サブ画面のある本体ケース１１に対してメイン画面のある蓋体ケース１２側を（θ＝）約１３５°程度開いた状態を示す。
【００５８】
図８（Ｂ）は、縦持ち使用でメイン画面のある蓋体ケース１２側をサブ画面のある本体ケース１１と同一平面となるように、本体ケース１１に対する蓋体ケース１２の開き角θを１８０°とした場合を示す。
【００５９】
ＣＰＵ２１は、上記ガンマ補正テーブル記憶部２２Ｂからガンマ補正値β，β′を読出し、読出したガンマ補正値β，β′に基づいてメイン画面１７ｄとサブ画面１６ｄでの表示駆動におけるガンマ補正を実行させることで、ユーザの目ＵＥが確実に視野角内となるように両画面の表示階調を調整する。
【００６０】
さらに上記ステップＳ１０５でメイン画面１７ｄのある蓋体ケース１２側の３軸加速度センサ２７のＸ軸方向の検知出力がほとんど重力加速度成分に等しく、その変位角度が略“０（ゼロ）°”であると判断した場合、ＣＰＵ２１は電子辞書装置１０が上記図４（Ｂ）で示した横持ちの状態にあるものと判断し、次いでタッチパネル式カラー表示部（メイン画面）１７がある蓋体ケース１２側に設けられた３軸加速度センサ２７のＸ軸及びＺ軸の方向の検知出力により、タッチパネル式カラー表示部（メイン画面）１７の傾き状態を算出する（ステップＳ１１０）。
【００６１】
次いで、手書き入力部（サブ画面）１６がある本体ケース１１側に設けられた３軸加速度センサ２８のＸ軸及びＺ軸の方向の検知出力により、手書き入力部（サブ画面）１６の傾き状態を算出する（ステップＳ１１１）。
【００６２】
上記ステップＳ１１０，Ｓ１１１の処理で算出したタッチパネル式カラー表示部（メイン画面）１７及び手書き入力部（サブ画面）１６の各傾きに基づき、ＣＰＵ２１はそれらの位置関係から本体ケース１１に対する蓋体ケース１２の開き角度θを算出する（ステップＳ１１２）。
【００６３】
そして、算出した角度θによりタッチパネル式カラー表示部（メイン画面）１７及び手書き入力部（サブ画面）１６のガンマ補正値をガンマ補正テーブル記憶部２２Ｂより読出す（ステップＳ１１３）。
【００６４】
図６（Ｃ）は、プログラムメモリ２２のガンマ補正テーブル記憶部２２Ｂに記憶される、電子辞書装置１０を横持ちで使用する場合のメイン画面及びサブ画面のガンマ補正値テーブルを例示するものである。図示する如くメイン画面とサブ画面の２つの表示画面間の角度θ′が９０°である場合から１８０°である場合まで、１°単位でメイン画面とサブ画面の各ガンマ補正値δ，δ′を記憶している。
【００６５】
こうして読出したガンマ補正値δ，δ′に基づき、ＣＰＵ２１はカラー液晶表示画面１７ｄとカラー液晶表示画面１６ｄでの表示駆動におけるガンマ補正を実行させた上で（ステップＳ１０４）、再び上記ステップＳ１０１からの処理に戻る。
【００６６】
図９（Ａ），（Ｂ）は、電子辞書装置１０を横持ちで使用する場合のユーザの目ＵＥとの位置関係を上から見た際の例を示す図である。  
図９（Ａ）は、サブ画面のある本体ケース１１に対してメイン画面のある蓋体ケース１２側を（θ＝）約１３５°程度開いた状態を示す。
【００６７】
図９（Ｂ）は、メイン画面のある蓋体ケース１２側をサブ画面のある本体ケース１１と同一平面となるように、本体ケース１１に対する蓋体ケース１２の開き角θを１８０°とした場合を示す。
【００６８】
ＣＰＵ２１は、上記ガンマ補正テーブル記憶部２２Ｂからガンマ補正値δ，δ′を読出し、読出したガンマ補正値δ，δ′に基づいてメイン画面１７ｄとサブ画面１６ｄでの表示駆動におけるガンマ補正を実行させることで、ユーザの目ＵＥが確実に視野角内となるように両画面の表示階調を調整する。
【００６９】
なお、この横持ちでの使用に際しては、図９（Ａ），（Ｂ）でも図示するようにユーザの目（特にきき目）ＵＥはタッチパネル式カラー表示部（メイン画面）１７側の正面に位置するものと想定してガンマ補正テーブル記憶部２２Ｂで予めガンマ補正値を設定して記憶しておくものとする。
【００７０】
したがって、上記ガンマ補正により蓋体ケース１２側のタッチパネル式カラー表示部（メイン画面）１７ではより狭い視野角での表示制御となる一方で、本体ケース１１側の手書き入力部（サブ画面）１６ではより広い視野角が得られるような表示制御が実行される。
【００７１】
以上詳述した如く本実施形態によれば、電子辞書装置１０を置いて使用する場合、縦持ちで使用する場合、及び横持ちで使用する場合のいずれにおいても、蓋体ケース１２側のタッチパネル式カラー表示部（メイン画面）１７と本体ケース１１側の手書き入力部（サブ画面）１６の双方に対して最適な視野を確保することが可能となる。
【００７２】
また上記実施形態によれば、上記図６でも示した如く、電子辞書装置１０を置いて使用する場合、縦持ちで使用する場合、及び横持ちで使用する場合のそれぞれに場合分けをすると共に、サブ画面を設けた本体ケース１１に対する、メイン画面１７を設けた蓋体ケース１２の開き角θの取り得る範囲を例えば９０°〜１８０°に限定して、各画面の表示制御のためのガンマ補正値をテーブルで記憶するようにした。
【００７３】
このように使用状況を予め想定した上で必要なガンマ補正値のみをテーブルとして記憶させるものとしたので、制御のために必要とするテーブルの容量を減じて回路規模及び制御プログラムの負担を軽減できる。
【００７４】
（第２の実施形態）  
以下本発明を電子辞書装置に適用した場合の第２の実施形態について図面を参照して説明する。  
なお、本実施形態に係る電子辞書装置１０′の外観構成については上記図１に示した内容と、電子辞書装置１０′の本体ケース１１及び蓋体ケース１２内に備えられる電子回路の構成については上記図３に示した内容とそれぞれ基本的に同様であるものとして、同一部分には同一符号を使用してその図示と説明とを省略する。
【００７５】
次に上記実施形態の動作について説明する。  
なお本実施形態では、電子辞書装置１０′を上記図４（Ａ）に示した如く本体ケース１１と蓋体ケース１２とを大きく開いて縦持ちで使用するか、上記図４（Ｂ）に示した如く本体ケース１１と蓋体ケース１２とを大きく開いて横持ちで使用する場合を基本的な形態とする。
【００７６】
以下、電子辞書装置１０′を縦持ちまたは横持ちで使用する場合についてその動作を説明する。  
図１０は、上記電子辞書装置１０′においてＣＰＵ２１が制御を司る、メイン画面のカラー液晶表示画面１７ｄとサブ画面のカラー液晶表示画面１６ｄの表示制御に関する処理を示すフローチャートである。  
その当所にＣＰＵ２１は、角度センサ４１の出力によってメイン画面のある蓋体ケース１２とサブ画面のある本体ケース１１との開き角θを検知する（ステップＳ３０１）。
【００７７】
次いでＣＰＵ２１は、本体ケース１１側に備えられた３軸加速度センサ２８のＺ軸方向の検知出力がほとんど重力加速度成分に等しく、その変位角度が略“０（ゼロ）°”であるか否かにより、電子辞書装置１０の本体ケース１１が机上等の水平な場所に設置されているか否かを判断する（ステップＳ３０２）。
【００７８】
ここで３軸加速度センサ２８のＺ軸方向の検知出力がほとんど重力加速度成分に等しく、電子辞書装置１０′の本体ケース１１が水平な場所に設置されていると判断した場合にＣＰＵ２１は、上記図５のステップＳ１０３以降と同様の処理を行なうものとして、本実施形態ではそれ以降の詳細な説明を省略する。
【００７９】
一方、上記ステップＳ３０２で本体ケース１１が水平な場所に置かれていないと判断した場合、ＣＰＵ２１は次に本体ケース１１側に設けられた３軸加速度センサ２８のＸ軸方向の検知出力がほとんど重力加速度成分に等しく、その変位角度が略“０（ゼロ）°”であるか否かにより、電子辞書装置１０′の本体ケース１１が上記図４（Ｂ）に示した横持ちの状態にあるか否かを判断する（ステップＳ３０３）。
【００８０】
ここで３軸加速度センサ２８のＸ軸方向の検知出力が重力加速度成分に等しく、その変位角度が略“０°（ゼロ）”であって、電子辞書装置１０′が横持ちの状態にあると判断した場合にのみ、ＣＰＵ２１は電子辞書装置１０′が横持ちの状態にあるものと判断し、次いでメイン画面であるカラー液晶表示画面１７ｄとサブ画面であるカラー液晶表示画面１６ｄ双方で表示する文字を横持ち用に変更設定する（ステップＳ３０４）。
【００８１】
このステップＳ３０４での処理は、電子辞書装置１０′が横持ちの状態にはないと判断した場合には実行しない。
【００８２】
その後にＣＰＵ２１は、タッチパネル式カラー表示部（メイン画面）１７の透明タッチパネル１７ｔからの出力の有無によりメイン画面へのタッチ操作があったか否かを判断する（ステップＳ３０５）。
【００８３】
タッチ操作があったと判断した場合、ＣＰＵ２１はタッチパネル式カラー表示部（メイン画面）１７の正面位置にユーザの目ＵＥがあるものとし、メイン画面とユーザの目ＵＥがなす内角θｍを９０°に設定する（ステップＳ３０６）。
【００８４】
次いでＣＰＵ２１は、直前のステップＳ３０１で得た本体ケース１１と蓋体ケース１２の開き角θの値を用い、サブ画面とユーザの目ＵＥがなす内角θｓを演算「２２５°−θ」により算出して設定する（ステップＳ３０７）。
【００８５】
その後ＣＰＵ２１は、上記取得したメイン画面側の角度θｍとサブ画面側の角度θｓとによってガンマ補正テーブル記憶部２２Ｂを参照し、対応するガンマ補正値αｍ，αｓを読出してカラー液晶表示画面１７ｄとカラー液晶表示画面１６ｄでの表示駆動におけるガンマ補正を実行させた上で（ステップＳ３０８）、再び上記ステップＳ３０１からの処理に戻る。
【００８６】
図１１（Ａ）は、プログラムメモリ２２のガンマ補正テーブル記憶部２２Ｂに記憶される、メイン画面に対するユーザの目ＵＥの位置方向を示す内角θｍと関連付けたガンマ補正値のテーブルを例示するものである。図示する如くメイン画面のユーザの目ＵＥとの角度θｍが０°である場合から１５０°である場合まで、１°単位でガンマ補正値αｍを記憶している。
【００８７】
また図１１（Ｂ）は、同じくプログラムメモリ２２のガンマ補正テーブル記憶部２２Ｂに記憶される、サブ画面に対するユーザの目ＵＥの位置方向を示す内角θｓと関連付けたガンマ補正値のテーブルを例示するものである。図示する如くサブ画面のユーザの目ＵＥとの角度θｓが０°である場合から１５０°である場合まで、１°単位でガンマ補正値αｓを記憶している。
【００８８】
図１２（Ａ），（Ｂ）は、電子辞書装置１０′を縦持ちで使用してメイン画面側の透明タッチパネル１７ｔをタッチ操作した場合のユーザの目ＵＥとの位置関係を横から見た際の例を示す図である。同図ではスタライスペンＳＰにより透明タッチパネル１７ｔをタッチ操作したものとし、メイン画面１７とユーザの目ＵＥとの間が予め特定される距離、例えば４０［ｃｍ］程度であるものとして各角度を想定している。
【００８９】
図１２（Ａ）は、サブ画面のある本体ケース１１に対してメイン画面のある蓋体ケース１２側を約１３５°程度開いている状態を示す。ユーザの目ＵＥがメイン画面１７とサブ画面１６とを見る際に移動する視線の角度をθｖとすると、次式  
θ＋θｍ＋θｓ＋θｖ＝３６０°(四角形の内角の和)  
が成り立つので、例えばθｍ＝９０°、θｖ＝４５°とすると、θｓ＝２２５°−θ
となり、ユーザの目ＵＥの視線とサブ画面１６とでなす内角θｓが角度センサ４１の検知出力から一義的に導き出せる。
【００９０】
図１２（Ｂ）は、メイン画面のある蓋体ケース１２側をサブ画面のある本体ケース１１と同一平面となるように、本体ケース１１に対する蓋体ケース１２の開き角θを１８０°とした場合を示す。
【００９１】
上記図１２（Ａ），（Ｂ）いずれの場合も、メイン画面側の透明タッチパネル１７ｔの操作によりユーザの目ＵＥがメイン画面の正面にあり、メイン画面側のユーザの目ＵＥとの内角が９０°であって、且つ上述した如くメイン画面１７とユーザの目ＵＥとの間の距離が特定されるものとして、サブ画面側のユーザの目ＵＥの視線との内角θｓを類推している。
【００９２】
また図１４（Ａ），（Ｂ）は、電子辞書装置１０′を横持ちで使用してメイン画面側の透明タッチパネル１７ｔをタッチ操作した場合のユーザの目ＵＥとの位置関係を上から見た際の例を示す図である。同図でもスタライスペンＳＰにより透明タッチパネル１７ｔをタッチ操作したものとし、メイン画面１７とユーザの目ＵＥとの間が予め特定される距離、例えば４０［ｃｍ］程度であるものとして各角度を想定している。
【００９３】
図１４（Ａ）は、サブ画面のある本体ケース１１に対してメイン画面のある蓋体ケース１２側を約１３５°程度開いている状態を示す。
【００９４】
図１４（Ｂ）は、メイン画面のある蓋体ケース１２側をサブ画面のある本体ケース１１と同一平面となるように、本体ケース１１に対する蓋体ケース１２の開き角θを１８０°とした場合を示す。
【００９５】
上記図１４（Ａ），（Ｂ）いずれの場合も、メイン画面側の透明タッチパネル１７ｔの操作によりユーザの目ＵＥがメイン画面の正面にあり、メイン画面側のユーザの目ＵＥとの内角が９０°であって、且つ上述した如くメイン画面１７とユーザの目ＵＥとの間の距離が特定されるものとして、サブ画面側のユーザの目ＵＥとの内角θｓを類推している。
【００９６】
ＣＰＵ２１は、上記ガンマ補正テーブル記憶部２２Ｂからガンマ補正値αｍ，αｓを読出し、読出したガンマ補正値αｍ，αｓに基づいてメイン画面１７ｄとサブ画面１６ｄでの表示駆動におけるガンマ補正をそれぞれ実行させることで、ユーザの目ＵＥが確実に視野角内となるように両画面の表示階調を調整する。
【００９７】
さらに上記ステップＳ３０５でメイン画面へのタッチ操作がなかったと判断した場合、ＣＰＵ２１は次いで手書き入力部（サブ画面）１６の透明タッチパネル１６ｔからの出力の有無によりサブ画面へのタッチ操作があったか否かを判断する（ステップＳ３０９）。
【００９８】
タッチ操作があったと判断した場合、ＣＰＵ２１は手書き入力部（サブ画面）１６の正面位置にユーザの目ＵＥがあるものとし、サブ画面とユーザの目ＵＥがなす内角θｓを９０°に設定する（ステップＳ３１０）。
【００９９】
次いでＣＰＵ２１は、直前のステップＳ３０１で得た本体ケース１１と蓋体ケース１２の開き角θの値を用い、メイン画面とユーザの目ＵＥがなす内角θｍを演算「２２５°−θ」により算出して設定する（ステップＳ３１１）。
【０１００】
その後ＣＰＵ２１は、上記取得したメイン画面側の角度θｍとサブ画面側の角度θｓとによってガンマ補正テーブル記憶部２２Ｂを参照し、対応するガンマ補正値αｍ，αｓを読出してカラー液晶表示画面１７ｄとカラー液晶表示画面１６ｄでの表示駆動におけるガンマ補正を実行させた上で（ステップＳ３０８）、再び上記ステップＳ３０１からの処理に戻る。
【０１０１】
図１３（Ａ），（Ｂ）は、電子辞書装置１０′を縦持ちで使用してサブ画面側の透明タッチパネル１６ｔをタッチ操作した場合のユーザの目ＵＥとの位置関係を横から見た際の例を示す図である。同図ではスタライスペンＳＰにより透明タッチパネル１６ｔをタッチ操作したものとし、サブ画面１６とユーザの目ＵＥとの間が予め特定される距離、例えば４０［ｃｍ］程度であるものとして各角度を想定している。
【０１０２】
図１３（Ａ）は、サブ画面のある本体ケース１１に対してメイン画面のある蓋体ケース１２側を約１３５°程度開いている状態を示す。
【０１０３】
図１３（Ｂ）は、メイン画面のある蓋体ケース１２側をサブ画面のある本体ケース１１と同一平面となるように、本体ケース１１に対する蓋体ケース１２の開き角θを１８０°とした場合を示す。
【０１０４】
上記図１３（Ａ），（Ｂ）いずれの場合も、サブ画面側の透明タッチパネル１６ｔの操作によりユーザの目ＵＥがサブ画面の正面にあり、サブ画面側のユーザの目ＵＥとの内角が９０°であって、且つ上述した如くサブ画面１７とユーザの目ＵＥとの間の距離が特定されるものとして、メイン画面側のユーザの目ＵＥの視線との内角θｍを類推している。
【０１０５】
また図１５（Ａ），（Ｂ）は、電子辞書装置１０′を横持ちで使用してサブ画面側の透明タッチパネル１６ｔをタッチ操作した場合のユーザの目ＵＥとの位置関係を上から見た際の例を示す図である。同図ではスタライスペンＳＰにより透明タッチパネル１６ｔをタッチ操作したものとし、サブ画面１６とユーザの目ＵＥとの間が予め特定される距離、例えば４０［ｃｍ］程度であるものとして各角度を想定している。
【０１０６】
図１５（Ａ）は、サブ画面のある本体ケース１１に対してメイン画面のある蓋体ケース１２側を約１３５°程度開いている状態を示す。
【０１０７】
図１５（Ｂ）は、メイン画面のある蓋体ケース１２側をサブ画面のある本体ケース１１と同一平面となるように、本体ケース１１に対する蓋体ケース１２の開き角θを１８０°とした場合を示す。
【０１０８】
上記図１５（Ａ），（Ｂ）いずれの場合も、サブ画面側の透明タッチパネル１６ｔの操作によりユーザの目ＵＥがサブ画面の正面にあり、サブ画面側のユーザの目ＵＥとの内角が９０°であって、且つ上述した如くサブ画面１６とユーザの目ＵＥとの間の距離が特定されるものとして、メイン画面側のユーザの目ＵＥの視線との内角θｍを類推している。
【０１０９】
ＣＰＵ２１は、上記ガンマ補正テーブル記憶部２２Ｂからガンマ補正値αｍ，αｓを読出し、読出したガンマ補正値αｍ，αｓに基づいてメイン画面１７ｄとサブ画面１６ｄでの表示駆動におけるガンマ補正をそれぞれ実行させることで、ユーザの目ＵＥが確実に視野角内となるように両画面の表示階調を調整する。
【０１１０】
さらに上記ステップＳ３０９でサブ画面へのタッチ操作もなかったと判断した場合、ＣＰＵ２１はメイン画面１７とサブ画面１６のいずれにもタッチ操作がないものとして、直前のステップＳ３０１で検知したヒンジ部１３の開き角θの値に対応するθｍ，θｓをプログラムメモリ２２のガンマ補正テーブル記憶部２２Ｂから読出す（ステップＳ３１２）。
【０１１１】
図１１（Ｃ）は、ガンマ補正テーブル記憶部２２Ｂに予め記憶されている、無タッチ時の開き角θに対応したメイン画面の視線角度θｍ及びサブ画面の視線角度θｓの想定値を示すテーブルを例示している。このテーブルにおいては、電子辞書装置１０′を縦持ち、あるいは横持ちで使用する場合の典型的なユーザの目ＵＥとの距離、例えば３０［ｃｍ］を保持した状態で主として蓋体ケース１２側のタッチパネル式カラー表示部（メイン画面）１７を見るものとした場合のθｍ，θｓを、開き角θが９０°である場合から１８０°である場合まで、１°単位で記憶している。
【０１１２】
こうしてガンマ補正テーブル記憶部２２Ｂから無タッチ時の開き角θに対応したθｍ，θｓの想定値を読出した上で、ＣＰＵ２１はまずメイン画面１７側のユーザの視線との内角θｍの想定値により同じくガンマ補正テーブル記憶部２２Ｂの上記図１１（Ａ）で示したテーブルによりメイン画面用のガンマ補正値αｍを読出す（ステップＳ３１３）。
【０１１３】
次いでＣＰＵ２１は、同じくサブ画面１６側のユーザの視線との内角θｓの想定値により同じくガンマ補正テーブル記憶部２２Ｂの上記図１１（Ｂ）で示したテーブルによりサブ画面用のガンマ補正値αｓを読出す（ステップＳ３１４）。
【０１１４】
そしてＣＰＵ２１は、上記取得したガンマ補正値αｍ，αｓによりカラー液晶表示画面１７ｄとカラー液晶表示画面１６ｄでの表示駆動におけるガンマ補正を実行させた上で（ステップＳ３０８）、再び上記ステップＳ３０１からの処理に戻る。
【０１１５】
以上詳述した如く本実施形態によれば、タッチパネル式カラー表示部（メイン画面）１７と手書き入力部（サブ画面）１６の双方でタッチ操作による入力が可能な透明タッチパネル１７ｔ，１６ｔを備え、当該一方のパネルへのタッチ操作が検出された時点でユーザの目ＵＥがそのパネルの正面にあるものとして各表示部のガンマ補正を行なうものとしたので、実際の使い勝手に即してより正確なガンマ補正を実行し、ユーザに最適な視野を確保できる。
【０１１６】
なお上記実施形態では、タッチパネル式カラー表示部（メイン画面）１７と手書き入力部（サブ画面）１６の双方でタッチ操作による入力が可能な構成を有するものとして説明したが、本発明はこれに限るものではなく、複数ある表示部のうちの少なくとも１つがタッチパネルを透明タッチパネルが備えていれば、そのタッチパネルへのタッチ操作に際して同様の制御を行なうことで、ユーザに最適な視野での表示を実現できる。
【０１１７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１１８】
以下に、本願出願の当所の特許請求の範囲に記載された発明を付記する。  
請求項１記載の発明は、折りたたみ式の筐体に分割して配置された複数の表示部と、上記複数の表示部それぞれの姿勢角度を検知する検知手段と、それぞれの姿勢角度の関係に応じた上記複数の表示部のガンマ補正値を記憶するガンマ記憶手段と、上記検知手段で検知した上記複数の表示部それぞれの姿勢角度に基づいて上記ガンマ記憶手段を参照し、上記複数の表示部のガンマ補正を行なう表示制御手段とを具備したことを特徴とする。
【０１１９】
請求項２記載の発明は、上記請求項１記載の発明において、上記ガンマ記憶手段は、予め想定した複数の使用状況毎に分類した、上記姿勢角度に応じたガンマ補正値を記憶することを特徴とする。
【０１２０】
請求項３記載の発明は、上記請求項１記載の発明において、上記複数の表示部の少なくとも１つは、表示画面へのタッチ入力を受付けるタッチパネルを備え、上記表示制御手段は、上記タッチパネルを備えた表示部へのタッチ入力があった際に、タッチされた表示部がユーザの視線の正面にあるものとして上記複数の表示部のガンマ補正を再調整することを特徴とする。
【０１２１】
請求項４記載の発明は、折りたたみ式の筐体に分割して配置された複数の表示部を備えた装置が内蔵するコンピュータが実行するプログラムであって、当該コンピュータを、上記複数の表示部それぞれの姿勢角度を検知する検知手段、それぞれの姿勢角度の関係に応じた上記複数の表示部のガンマ補正値を記憶するガンマ記憶手段、及び上記検知手段で検知した上記複数の表示部それぞれの姿勢角度に基づいて上記ガンマ記憶手段を参照し、上記複数の表示部のガンマ補正を行なう表示制御手段として機能させることを特徴とする。
【符号の説明】
【０１２２】
１０，１０′…電子辞書装置、１１…本体ケース、１２…蓋体ケース、１３…ヒンジ部、１４…キー入力部、１５…スピーカ、１６…手書き入力部（サブ画面）、１６ｄ…カラー液晶表示画面、１６ｔ…透明タッチパネル、１７…タッチパネル式カラー表示部（メイン画面）、１７Ａ…タッチキーエリア、１７Ｂ…表示タッチアイコンエリア、２１…ＣＰＵ、２２…プログラムメモリ、２２Ａ…辞書データベース、２２Ｂ…ガンマ補正テーブル記憶部、２２Ｃ…各種処理プログラム（画面補正処理プログラム含む）、２３…メモリカード、２４…メモリカードコントローラ、２５…通信制御部、２６…ワークメモリ、２７，２８…３軸加速度センサ、２９…音声合成部、４１…角度センサ、ＬＨ…左手、Ｎ…インターネット、ＲＨ…右手、ＳＢ…システムバス、ＳＰ…スタライスペン、ＵＥ…ユーザの目。
【図１】
0005772289.tif 000002
【図２】
0005772289.tif 000003
【図３】
0005772289.tif 000004
【図４】
0005772289.tif 000005
【図５】
0005772289.tif 000006
【図６】
0005772289.tif 000007
【図７】
0005772289.tif 000008
【図８】
0005772289.tif 000009
【図９】
0005772289.tif 000010
【図１０】
0005772289.tif 000011
【図１１】
0005772289.tif 000012
【図１２】
0005772289.tif 000013
【図１３】
0005772289.tif 000014
【図１４】
0005772289.tif 000015
【図１５】
0005772289.tif 000016